(57)【要約】【課題】  受信した画情報のファイル名を一々入力しなくても良い通信装置を提供する。【解決手段】  制御回路がメールを受信したと判定すると（Ｓ１ステップ）、受信したメールに添付ファイルが添付されているか否かを判定し（Ｓ２ステップ）、添付ファイルにファイル名がない（例えば、数字と記号だけからなるファイル名や、識別子だけ記載され、ファイル名が記載されていない場合）には、自動的に送信側の氏名やメールアドレスを受信した添付ファイルのファイル名にし、メモリに格納する（Ｓ４ステップ）。【選択図】      図１
2005101842.tif 000002
【特許請求の範囲】
【請求項１】
画情報を格納する格納手段と、送信側情報又は位置情報を受信する受信手段と、制御手段とを有し、
前記制御手段は、前記画情報を前記格納手段に格納する際に、前記画情報のファイル名を前記受信手段が受信した前記送信側情報又は前記位置情報が示す文字を含むファイル名に変更するように制御することを特徴とする通信装置。
【請求項２】
画情報と送信側情報とを受信する受信手段と、該受信手段が受信した画情報を格納する格納手段と、
前記受信手段が受信した画情報を前記格納手段に格納する際に、前記受信手段が受信した画情報のファイル名を、前記送信側情報を示す文字を含むファイル名に変更するように制御する制御手段と、を有することを特徴とする通信装置。
【請求項３】
請求項２記載の通信装置であり、
更に、前記送信側情報と該送信側情報に対応する氏名とを格納する電話帳メモリを有し、
前記受信手段が受信した画情報を前記格納手段に格納する際に、前記制御手段は、前記受信手段が受信した前記送信側情報に対応する氏名を前記電話帳メモリから読み込み、前記氏名を示す文字を含む文字データに前記画情報のファイル名を変更するように制御することを特徴とする通信装置。
【請求項４】
請求項１〜３に記載の通信装置であり、前記送信側情報はアドレスであることを特徴とする通信装置。
【請求項５】
撮像手段と、位置情報を受信する受信手段と、前記撮像手段により生成された画情報を格納する格納手段と、
前記撮像手段により画情報を生成すると、前記受信手段に位置情報を受信させ、前記画情報のファイル名を、受信した位置情報を示す文字を含むファイル名に変更し、前記画情報を前記格納手段に格納するように制御する制御手段と、を有することを特徴とする通信装置。
【発明の詳細な説明】
【技術分野】
【０００１】
本発明は、携帯電話装置等の通信装置に関する。
【背景技術】
【０００２】
近年の携帯電話では、電子メールの送信機能を有するものが製品化されており、又、電子メールを送受信可能な携帯電話に関する技術も数多く提案されている（例えば、特許文献１）。
【０００３】
最近の携帯電話装置では、携帯電話にＣＣＤ（Ｃｈａｒｇｅ  Ｃｏｕｐｌｅｄ  Ｄｅｖｉｃｅ）を搭載し、自分で撮影した画像をメールに添付して送信することが可能である。又、画像が添付された電子メールを受信する側では、添付された画情報を受信すると、添付画情報をデータフォルダに格納し、いつでも添付画情報を取り出して見ることが可能である。
【０００４】
例えば、三洋マルチメディア鳥取株式会社製携帯電話Ａ１０１４ＳＴでは、図３に示すように、受信した電子メールを見る際には、差出人（例えば、山田一郎）、タイトル（例えば、温泉はいいね）、添付データのファイル名（例えば、ｓｈｏ２８２．ｐｎｇ）、本文を表示することが可能である。
【０００５】
又、添付データはデータフォルダに格納される為、データフォルダ内のデータ一覧を表示させ、所望の添付ファイルのみを表示させることも可能である。例えば、図４に示すように、メニュー画面を開いて、データフォルダを選択すると、図５に示すように、データフォルダの一覧が表示される為、その一覧から所望のデータを選択することにより、添付ファイルのみを表示させることも可能である。
【特許文献１】特開２００２−２８１１５０号公報（第２〜４ページ、図１参照）。
【発明の開示】
【発明が解決しようとする課題】
【０００６】
このような従来の携帯電話で、送信側において、ＣＣＤを用いて撮影し、撮影した画像をメールの添付ファイルとして送信する際に、添付ファイルのファイル名をユーザがキー操作により入力しなければ、例えば「ｓｈ０２８２．ｐｎｇ」といった、数字とアルファベット或いは数字と記号のみのファイル名が自動的に付加される。
【０００７】
受信側で前記添付ファイルが添付された電子メールを受信すると、前記添付ファイルがデータフォルダに格納されるわけであるが、図５に示すように添付ファイルの一覧を表示する際には、受信した添付ファイルのファイル名が「ｓｈ０２８２．ｐｎｇ」といった、数字とアルファベットによる名前である為、ユーザは、どのような内容のファイルであるか或いはだれから送信されたファイル名であるかをファイル名を見るだけでは認識することができない。
【０００８】
これを回避する為には、添付ファイルの送信側或いは受信側でファイル名を変更すればよいが、一々ファイル名を変更する為の操作を行うのは面倒である。
【課題を解決するための手段】
【０００９】
請求項１記載の通信装置は、画情報を格納する格納手段と、送信側情報又は位置情報を受信する受信手段と、制御手段とを有し、前記制御手段は、前記画情報を前記格納手段に格納する際に、前記画情報のファイル名を前記受信手段が受信した前記送信側情報又は前記位置情報が示す文字を含むファイル名に変更するように制御することを特徴とする。
請求項２記載の通信装置は、画情報と送信側情報とを受信する受信手段と、該受信手段が受信した画情報を格納する格納手段と、前記受信手段が受信した画情報を前記格納手段に格納する際に、前記受信手段が受信した画情報のファイル名を、前記送信側情報を示す文字を含むファイル名に変更するように制御する制御手段と、を有することを特徴とする。
請求項３記載の通信装置は、請求項２記載の通信装置であり、更に、前記送信側情報と該送信側情報に対応する氏名とを格納する電話帳メモリを有し、前記受信手段が受信した画情報を前記格納手段に格納する際に、前記制御手段は、前記受信手段が受信した前記送信側情報に対応する氏名を前記電話帳メモリから読み込み、前記氏名を示す文字を含む文字データに前記画情報のファイル名を変更するように制御することを特徴とする。
請求項４記載の通信装置は、請求項１〜３に記載の通信装置であり、前記送信側情報はアドレスであることを特徴とする。
請求項５記載の通信装置は、撮像手段と、位置情報を受信する受信手段と、前記撮像手段により生成された画情報を格納する格納手段と、前記撮像手段により画情報を生成すると、前記受信手段に位置情報を受信させ、前記画情報のファイル名を、受信した位置情報を示す文字を含むファイル名に変更し、前記画情報を前記格納手段に格納するように制御する制御手段と、を有することを特徴とする。
【発明の効果】
【００１０】
本発明では、受信した添付データのファイル名を自動的に、添付データの送信側のメールアドレス或いは名称とする為に、ユーザは、一々ファイル名を変更操作せずとも、だれからの添付データであるかを容易に知ることが可能である。
【００１１】
又、撮影を行なった際に、ＧＰＳ機能を用いて受信した位置情報を、自動的に撮影により生成した画情報のファイル名とすることが可能である為、ファイル名の変更操作を行わずとも、添付ファイルのファイル名を知名などにすることが可能である。特に、添付ファイルの送信側が城之崎温泉等の観光地で撮影を行い、どこで撮影したかを添付ファイルの受信側にアピールしたい場合等には有効である。
【００１２】
更に、データフォルダを見る際に、容易にだれから受信したデータであるか或いはどこで撮影されたデータであるかを認識することが可能である。
【発明を実施するための最良の形態】
【００１３】
本実施例は、電子メールと添付データを受信した際に、添付データのファイル名がない場合、或いは、ファイル名が数字だけ、或いは、ひらがなが含まれていない場合等には、受信した添付ファイルのファイル名を自動的に送信側の名称にするものである。
【００１４】
又、携帯電話にＧＰＳ受信機を搭載させ、ＣＣＤにより撮影を行なった際に、前記ＧＰＳ受信機により位置情報を受信し、作成した画情報のファイル名を自動的に前記位置情報が示す地名とするものである。
【００１５】
図１は、本発明を適用してなる実施例装置である携帯電話装置のブロック図である。
【００１６】
図１において、通信部１は、後述するベースバンド部３からの信号をアンテナ２を介して基地局へ発信したり、アンテナ２を介して基地局からの電波を受信したりする。
【００１７】
ベースバンド部３は、ＣＤＭＡ（Ｃｏｄｅ  ＤｉｖｉＳｉｏｎ  Ｍｕｉｔｉｐｌｅ  ＡｃｃｅＳＳ）処理回路３１と、音声コーデック処理回路３２とを有する。前記ＣＤＭＡ処理回路３１は、符号分割多元接続、スクランブル、誤り制御、タイミング検出等を行う。前記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
【００１８】
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音やメロディーを出力する。
【００１９】
切替回路１０は、３つのアンプ５、７、９とベースバンド部３との接続を後述する制御部１１１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御部１１１１の制御によりベースバンド部３の音声コーデック３２が行う。
【００２０】
マイクロプロセッサからなる制御部１１は、例えばＲＯＭ（Ｒｅａｄ  Ｏｎｌｙ  Ｍｅｍｏｒｙ）からなる第１格納部１２に格納されたシステムプログラムに基づいて、各部を制御する。
【００２１】
第２格納部１３は、例えばＳＲＡＭ（Ｓｔａｔｉｃ  Ｒａｎｄｕｍ  Ａｃｃｅｓｓ  Ｍｅｍｏｒｙ）からなり、無線により受信したメールデータや画情報だけでなく、受信メロディー等の音楽情報やゲームプログラム等を格納可能であり、又、相手側の氏名と電話番号とメールアドレスと対で複数格納する所謂電話帳機能も有している。更に、後述する撮像部１７から入力した画情報を格納可能である。又、後述するデータフォルダ内のデータはこの第２格納部１３に格納されている。
【００２２】
入力部１４は、テンキー、通話キー、切キー、選択キー等の各種キーからなる。
【００２３】
第1表示部１５は、例えば液晶表示装置からなり、動画や静止画、メール内容、電話番
号等を表示可能である。
【００２４】
撮像部１７は、例えばＣＣＤ（Ｃｈａｒｇｅ  Ｃｏｕｐｌｅｄ  Ｄｅｖｉｃｅｓ）から
なり、ユーザが風景や人物等を撮影する際に画情報を制御回路１１へ出力する。又、制御部１１へ出力された画情報は制御部１１内で圧縮や伸長といった画像処理が施される。
【００２５】
次に、本実施例装置の動作について以下に説明する。
【００２６】
図２は、本実施例装置の動作を示すフロー図である。
【００２７】
Ｓ１ステップにおいて、制御回路１１は、ベースバンド部３から電子メールを受信したことを示す信号を検出すると、受信した電子メール本文（添付ファイルがあれば添付ファイルも）を第２格納部１３に格納する。
【００２８】
続くＳ２ステップにおいて、制御回路１１は、受信した電子メールに添付ファイルがあると判定するとＳ３ステップへ処理を進め、そうでなければ、処理を終了する。
【００２９】
Ｓ３ステップでは、制御回路１１は、前記Ｓ１ステップで受信した添付ファイルにファイル名があるか否かを判定する。具体的には、制御回路１１は、添付ファイルのファイル名が空白である（例えば、「．ｐｎｇ」というふうに拡張子だけのファイル名）或いは、数字や記号だけからなるファイル名（例えば、「０３０９１６＿０８３１００２．ｐｎｇ」）或いは、アルファベットと数字だけからなりファイル名（例えば、「ｓｈｏ２８２．ｐｎｇ」）であると判定すると、Ｓ４ステップへ処理を進め、そうでなければ（例えば、ファイル名が「城之崎にて．ｐｎｇ」といったひらがなや漢字を含むファイル名）である場合には、処理を終了する。
【００３０】
Ｓ４ステップでは、制御回路１１は、前記Ｓ１ステップで受信した添付データのファイル名をメール発信側の名称にする。具体的には、制御回路１１は、前記Ｓ１ステップで受信しメール発信側のアドレスや、受信したメール発信側のアドレスに対応して第２格納部１３に格納されている相手側の名称を前記Ｓ１ステップで受信した添付ファイルのファイル名とし、処理を終了する。
【００３１】
このように、本実施例では、受信した電子メールの添付ファイルを自動的に発信側のメールアドレスや名称とすることが可能である為、一々ユーザが添付ファイル名を変更操作する必要がない。
【００３２】
又、データフォルダを開く際には、受信した添付ファイルのファイル名は、メール送信側のメールアドレスや名称として表示される為、だれから受信した添付ファイルであるかをユーザは容易に認識することが可能である。
【００３３】
受信した添付メールのファイル名を一々入力する手間を省く為に、以下のように構成することもできる。
【００３４】
送信側の端末において、ＧＰＳ（Ｇｌｏｂａｌ  Ｐｏｓｉｔｉｏｎｉｎｇ  Ｓｙｓｔｅｍ）機能を搭載させ、撮像部１７で画情報を撮影した際に、前記ＧＰＳ機能により受信した位置情報を自動的に前記撮影した画情報のファイル名とする構成としても良い。
【００３５】
このような構成とすることにより、送信側は撮影した画情報のファイル名をどこで撮影したかを相手側に伝えたい場合（例えば、画情報を城之崎や鳥取砂丘等といった観光地で撮影したことを相手側に伝えたい場合）には、ユーザが一々ファイル名を入力しなくても、自動的に地名をファイル名とすることが可能である。
【００３６】
尚、本実施例では、携帯電話について実施したが、画像データを送受信可能な通信装置であれば、パーソナルコンピュータやカーナビゲーションシステム、ＰＨＳ（Ｐｅｒｓｏｎａｌ  Ｈａｎｄｙｐｈｏｎｅ  Ｓｙｓｔｅｍ）等についても実施することが可能である。
【００３７】
又、本実施例では、メールの添付データについて実施したが、画情報のみを送信する場合においても実施することが可能である。
【図面の簡単な説明】
【００３８】
【図１】本発明を適用してなる実施例装置のブロック図である。
【図２】本実施例装置のフロー図である。
【図３】本実施例装置の表示形態を示す図である。
【図４】本実施例装置の表示形態を示す図である。
【図５】本実施例装置の表示形態を示す図である。
【符号の説明】
【００３９】
１  通信部
３  ベースバンド部
１１  制御回路
１３  第２格納部
１５  表示部
１７  撮像部
【図１】
2005101842.tif 000003
【図２】
2005101842.tif 000004
【図３】
2005101842.tif 000005
【図４】
2005101842.tif 000006
【図５】
2005101842.tif 000007